(57)【特許請求の範囲】
【請求項１】
第１のネットワーク上で所定の伝送周波数を持つ第１のディジタル放送信号を第２のネットワーク上で所定の伝送周波数を持つ第２のディジタル放送信号に変換する信号処理装置において、
前記第１のディジタル放送信号に対して所定の周波数変換処理を行う第１の周波数変換手段と、
前記第１の周波数変換手段より供給される第１のディジタル変調信号を復調する復調手段と、
前記復調手段より供給されるディジタル放送データから伝送路に関する物理的な情報を持つネットワーク・インフォメーション・テーブルを検出するテーブル検出手段と、
前記テーブル検出手段より供給されるネットワーク・インフォメーション・テーブルのうち、ネットワークＩＤは前記第２のネットワークへの変更を行わずそのまま前記第１のネットワークのネットワークＩＤを用い、それ以外は前記第２のネットワークに適合するように変更するテーブル変更手段と、
前記復調手段より供給されるディジタル放送データのネットワーク・インフォメーション・テーブルを前記テーブル変更手段より供給されるネットワーク・インフォメーション・テーブルに置き換えるテーブル置き換え手段と、
前記テーブル置き換え手段より供給されるディジタル放送データを変調する変調手段と、
前記変調手段より供給される第２のディジタル変調信号を所定の伝送周波数に変換する第２の周波数変換手段と
を備えることを特徴とする信号処理装置。
【請求項２】
第１のネットワーク上で所定の伝送周波数を持つ第１のディジタル放送信号を第２のネットワーク上で所定の伝送周波数を持つ第２のディジタル放送信号に変換する信号処理方法において、
前記第１のディジタル放送信号に対して所定の周波数変換処理を行う第１の周波数変換ステップと、
前記第１の周波数変換ステップより供給される第１のディジタル変調信号を復調する復調ステップと、
前記復調ステップより供給されるディジタル放送データから伝送路に関する物理的な情報を持つネットワーク・インフォメーション・テーブルを検出するテーブル検出ステップと、
前記テーブル検出ステップより供給されるネットワーク・インフォメーション・テーブルのうち、ネットワークＩＤは前記第２のネットワークへの変更を行わずそのまま前記第１のネットワークのネットワークＩＤを用い、それ以外は前記第２のネットワークに適合するように変更するテーブル変更ステップと、
前記復調ステップより供給されるディジタル放送データのネットワーク・インフォメーション・テーブルを前記テーブル変更ステップより供給されるネットワーク・インフォメーション・テーブルに置き換えるテーブル置き換えステップと、
前記テーブル置き換えステップより供給されるディジタル放送データを変調する変調ステップと、
前記変調ステップより供給される第２のディジタル変調信号を所定の伝送周波数に変換する第２の周波数変換ステップと
を備えることを特徴とする信号処理方法。
【請求項３】
第１のネットワーク上で所定の伝送周波数を持つ第１のディジタル放送信号を第２のネットワーク上で所定の伝送周波数を持つ第２のディジタル放送信号に変換する処理を実行させるためのプログラムを記録したコンピュータ読み取り可能な情報記録媒体において、
前記第１のディジタル放送信号に対して所定の周波数変換処理を行う第１の周波数変換ステップと、
前記第１の周波数変換ステップより供給される第１のディジタル変調信号を復調する復調ステップと、
前記復調ステップより供給されるディジタル放送データから伝送路に関する物理的な情報を持つネットワーク・インフォメーション・テーブルを検出するテーブル検出ステップと、
前記テーブル検出ステップより供給されるネットワーク・インフォメーション・テーブルのうち、ネットワークＩＤは前記第２のネットワークへの変更を行わずそのまま前記第１のネットワークのネットワークＩＤを用い、それ以外は前記第２のネットワークに適合するように変更するテーブル変更ステップと、
前記復調ステップより供給されるディジタル放送データのネットワーク・インフォメーション・テーブルを前記テーブル変更ステップより供給されるネットワーク・インフォメーション・テーブルに置き換えるテーブル置き換えステップと、
前記テーブル置き換えステップより供給されるディジタル放送データを変調する変調ステップと、
前記変調ステップより供給される第２のディジタル変調信号を所定の伝送周波数に変換する第２の周波数変換ステップと
を実行させるためのプログラムを記録したコンピュータ読み取り可能な情報記録媒体。
【発明の詳細な説明】
【０００１】
【発明の属する技術分野】
本発明は、信号処理装置及び信号処理方法、並びに情報記録媒体に関し、特に所定のネットワークで放送されているディジタル放送番組を別のネットワークで配信サービスする場合に用いて好適な信号処理装置及び信号処理方法、並びに情報記録媒体に関する。
【０００２】
【従来の技術】
近年、ケーブルテレビ（CATV）の事業者が、衛星を介して供給されるディジタル多チャンネル番組を受信し、自らが有するネットワーク（ケーブル）を利用して各家庭に配信サービスするようになってきている。
【０００３】
このように、第１のネットワーク（衛星）で放送されているディジタル放送番組を、第２のネットワーク（CATV）で配信サービスする場合、ディジタル放送データは伝送路に関する物理的な情報であるNIT（Network Information Table)を有しているため、変調変換装置で変調方式を変換するだけでは、配信サービスすることができない。
【０００４】
そこで、第１のネットワークにおけるディジタル放送データのNITを検出し、検出したNITを第２のネットワークに適合するように変更し、第１のネットワークにおけるディジタル放送データのNITを変更したNITに置き換えることにより、第２のネットワークにおけるディジタル放送データを得るようにしている。このとき、第１のネットワークにおけるディジタル放送データのNITの中の、ネットワークの識別コードであるネットワークＩＤも、第２のネットワークを示すものに置き換えられてしまう。
【０００５】
【発明が解決しようとする課題】
しかしながら、第１のネットワークとは別の第３のネットワークからのディジタル放送データからも、変調変換装置を用いて、第２のネットワークにおけるディジタル放送データを得ようとする場合、NITの中のネットワークＩＤは第２のネットワークに対応するものに変更されてしまうため、第２のネットワークの受信端末において、受信したディジタル放送データが、第１のネットワークからのものであるのか、第３のネットワークからのものであるのか、判別することが困難になる。
【０００６】
また、配信サービスされるネットワークの受信端末は、送信されてくるディジタル放送データを、NITの中のネットワークＩＤを用いて受信すべきかどうか判断しているため、第２のネットワークとは別の第４のネットワークに配信サービスする場合、第２のネットワーク用の受信端末とは異なる構成の第４のネットワーク用の受信端末が必要となる。
【０００７】
本発明は、このような状況に鑑みてなされたものであり、変調変換装置に供給されるディジタル放送データが、第１のネットワークからのものと、第３のネットワークからのものと、複数存在する場合に、NITが第２のネットワークに適合するように変更されても、そのディジタル放送データが、第１のネットワークからのものか、第３のネットワークからのものかを、第２のネットワークにおける受信端末で判断することができるようにするものである。
【０００８】
また、配信サービスされるネットワークが、第２のネットワークと、第４のネットワークと、複数存在する場合にも、同一構成の受信端末をそのまま利用することができるようにするものである。
【０００９】
【課題を解決するための手段】
請求項１に記載の信号処理装置は、第１のネットワーク上で所定の伝送周波数を持つ第１のディジタル放送信号を第２のネットワーク上で所定の伝送周波数を持つ第２のディジタル放送信号に変換する信号処理装置において、第１のディジタル放送信号に対して所定の周波数変換処理を行う第１の周波数変換手段と、第１の周波数変換手段より供給される第１のディジタル変調信号を復調する復調手段と、復調手段より供給されるディジタル放送データから伝送路に関する物理的な情報を持つネットワーク・インフォメーション・テーブルを検出するテーブル検出手段と、テーブル検出手段より供給されるネットワーク・インフォメーション・テーブルのうち、ネットワークＩＤは第２のネットワークへの変更を行わずそのまま第１のネットワークのネットワークＩＤを用い、それ以外は第２のネットワークに適合するように変更するテーブル変更手段と、復調手段より供給されるディジタル放送データのネットワーク・インフォメーション・テーブルをテーブル変更手段より供給されるネットワーク・インフォメーション・テーブルに置き換えるテーブル置き換え手段と、テーブル置き換え手段より供給されるディジタル放送データを変調する変調手段と、変調手段より供給される第２のディジタル変調信号を所定の伝送周波数に変換する第２の周波数変換手段とを備えることを特徴とする。
【００１０】
請求項２に記載の信号処理方法は、第１のネットワーク上で所定の伝送周波数を持つ第１のディジタル放送信号を第２のネットワーク上で所定の伝送周波数を持つ第２のディジタル放送信号に変換する信号処理方法において、第１のディジタル放送信号に対して所定の周波数変換処理を行う第１の周波数変換ステップと、第１の周波数変換ステップより供給される第１のディジタル変調信号を復調する復調ステップと、復調ステップより供給されるディジタル放送データから伝送路に関する物理的な情報を持つネットワーク・インフォメーション・テーブルを検出するテーブル検出ステップと、テーブル検出ステップより供給されるネットワーク・インフォメーション・テーブルのうち、ネットワークＩＤは第２のネットワークへの変更を行わずそのまま第１のネットワークのネットワークＩＤを用い、それ以外は第２のネットワークに適合するように変更するテーブル変更ステップと、復調ステップより供給されるディジタル放送データのネットワーク・インフォメーション・テーブルをテーブル変更ステップより供給されるネットワーク・インフォメーション・テーブルに置き換えるテーブル置き換えステップと、テーブル置き換えステップより供給されるディジタル放送データを変調する変調ステップと、変調ステップより供給される第２のディジタル変調信号を所定の伝送周波数に変換する第２の周波数変換ステップとを備えることを特徴とする。
【００１１】
請求項３に記載の情報記録媒体は、第１のネットワーク上で所定の伝送周波数を持つ第１のディジタル放送信号を第２のネットワーク上で所定の伝送周波数を持つ第２のディジタル放送信号に変換する処理を実行させるためのプログラムを記録したコンピュータ読み取り可能な情報記録媒体において、第１のディジタル放送信号に対して所定の周波数変換処理を行う第１の周波数変換ステップと、第１の周波数変換ステップより供給される第１のディジタル変調信号を復調する復調ステップと、復調ステップより供給されるディジタル放送データから伝送路に関する物理的な情報を持つネットワーク・インフォメーション・テーブルを検出するテーブル検出ステップと、テーブル検出ステップより供給されるネットワーク・インフォメーション・テーブルのうち、ネットワークＩＤは第２のネットワークへの変更を行わずそのまま第１のネットワークのネットワークＩＤを用い、それ以外は第２のネットワークに適合するように変更するテーブル変更ステップと、復調ステップより供給されるディジタル放送データのネットワーク・インフォメーション・テーブルをテーブル変更ステップより供給されるネットワーク・インフォメーション・テーブルに置き換えるテーブル置き換えステップと、テーブル置き換えステップより供給されるディジタル放送データを変調する変調ステップと、変調ステップより供給される第２のディジタル変調信号を所定の伝送周波数に変換する第２の周波数変換ステップとを実行させるためのプログラムを記録していることを特徴とする。
【００１２】
請求項１に記載の信号処理装置においては、第１の周波数変換手段が、第１のディジタル放送信号に対して所定の周波数変換処理を行い、復調手段が、第１の周波数変換手段より供給される第１のディジタル変調信号を復調し、テーブル検出手段が、復調手段より供給されるディジタル放送データから伝送路に関する物理的な情報を持つネットワーク・インフォメーション・テーブルを検出し、テーブル変更手段が、テーブル検出手段より供給されるネットワーク・インフォメーション・テーブルのうち、ネットワークＩＤは第２のネットワークへの変更を行わずそのまま第１のネットワークのネットワークＩＤを用い、それ以外は第２のネットワークに適合するように変更し、テーブル置き換え手段が、復調手段より供給されるディジタル放送データのネットワーク・インフォメーション・テーブルをテーブル変更手段より供給されるネットワーク・インフォメーション・テーブルに置き換え、変調手段が、テーブル置き換え手段より供給されるディジタル放送データを変調し、第２の周波数変換手段が、変調手段より供給される第２のディジタル変調信号を所定の伝送周波数に変換する。
【００１３】
請求項２に記載の信号処理方法及び請求項３に記載の情報記録媒体においては、第１の周波数変換ステップで、第１のディジタル放送信号に対して所定の周波数変換処理を行い、復調ステップで、第１の周波数変換ステップより供給される第１のディジタル変調信号を復調し、テーブル検出ステップで、復調ステップより供給されるディジタル放送データから伝送路に関する物理的な情報を持つネットワーク・インフォメーション・テーブルを検出し、テーブル変更ステップで、テーブル検出ステップより供給されるネットワーク・インフォメーション・テーブルのうち、ネットワークＩＤは第２のネットワークへの変更を行わずそのまま第１のネットワークのネットワークＩＤを用い、それ以外は第２のネットワークに適合するように変更し、テーブル置き換えステップで、復調ステップより供給されるディジタル放送データのネットワーク・インフォメーション・テーブルをテーブル変更ステップより供給されるネットワーク・インフォメーション・テーブルに置き換え、変調ステップで、テーブル置き換えステップより供給されるディジタル放送データを変調し、第２の周波数変換ステップで、変調ステップより供給される第２のディジタル変調信号を所定の伝送周波数に変換する。
【００１４】
【発明の実施の形態】
以下に本発明の実施の形態を説明するが、特許請求の範囲に記載の発明の各手段と、以下の実施の形態との対応関係を明らかにするために、各手段の後の括弧内に、対応する実施の形態（但し一例）を付加して本発明の特徴を記述すると、次のようになる。但し、勿論この記載は、各手段を記載したものに限定することを意味するものではない。
【００１５】
請求項１に記載の信号処理装置は、第１のネットワーク上で所定の伝送周波数を持つ第１のディジタル放送信号を第２のネットワーク上で所定の伝送周波数を持つ第２のディジタル放送信号に変換する信号処理装置において、第１のディジタル放送信号に対して所定の周波数変換処理を行う第１の周波数変換手段（例えば、図１１に示すチューナ４０）と、第１の周波数変換手段より供給される第１のディジタル変調信号を復調する復調手段（例えば、図１１に示す復調器４１）と、復調手段より供給されるディジタル放送データから伝送路に関する物理的な情報を持つネットワーク・インフォメーション・テーブルを検出するテーブル検出手段（例えば、図１１に示すNIT検出回路４７）と、テーブル検出手段より供給されるネットワーク・インフォメーション・テーブルのうち、ネットワークＩＤは第２のネットワークへの変更を行わずそのまま第１のネットワークのネットワークＩＤを用い、それ以外は第２のネットワークに適合するように変更するテーブル変更手段（例えば、図１１に示す制御部３１）と、復調手段より供給されるディジタル放送データのネットワーク・インフォメーション・テーブルをテーブル変更手段より供給されるネットワーク・インフォメーション・テーブルに置き換えるテーブル置き換え手段（例えば、図１１に示すNIT置換回路４３）と、テーブル置き換え手段より供給されるディジタル放送データを変調する変調手段（例えば、図１１に示す変調器４５）と、変調手段より供給される第２のディジタル変調信号を所定の伝送周波数に変換する第２の周波数変換手段（例えば、図１１に示す周波数変換器４６）とを備えることを特徴とする。
【００１６】
図１は、本発明の信号処理装置を適用したディジタルCATVシステムの一実施の形態の構成を示している。このシステムでは、衛星１に取り付けられている複数のトランスポンダ（衛星中継器）から送信されるディジタル放送信号を、アンテナ２が受信し、変調変換装置３に供給する。変調変換装置３は、アンテナ２から供給されるディジタル放送信号の伝送周波数や変調方式を、CATVに適合するように変更してから伝送路４に送出している。伝送路４には、受信端末であるSTB（Set Top Box）５−１乃至５−ｍが接続されている。STB５−１乃至５−ｍには、モニタ６−１乃至６−ｍが接続されており、各STBで選択されたプログラム番号の画像が、それぞれのモニタに表示される。
【００１７】
次に、衛星１から送信されるディジタル放送信号について以下に説明する。尚、本実施の形態において、衛星１から送信されるディジタル放送信号は、ヨーロッパのディジタル放送標準としてのDVB（Digital Video Broadcasting）システムに対応したものとする。
【００１８】
図２は、MPEG2（Moving Picture Experts Group 2）のＴＳ（Transport Stream）によるマルチメディア多重化方式を示している。各メディアのデータは、PES（Packetized Elementary Stream）パケットと呼ばれる可変長パケットを構成している。PESパケットは、更にいくつかのトランスポート・ストリーム・パケットに分割される。トランスポート・ストリーム・パケットは、ヘッダとペイロードから構成されており、ヘッダにはPID（Packet Identifier）と呼ばれるトランスポート・ストリーム・パケットの識別番号が収容されている。このPIDを用いて、各メディアのデータの識別が行われる。
【００１９】
図３は、上述のMPEG2のTSパケットの詳細な構成を示している。１パケットは１８８バイトで構成されており、先頭の４バイトはパケットヘッダとして使用される。同期バイト（＝‘47H’Ｈは１６進の意味）やPIDが収容されているパケットヘッダ領域の使用法は、基本的にはMPEG2に基づいている。同期バイトは、８ビットの同期信号で、復号器がTSパケットの先頭を検出するためのデータである。トランスポート・エラー・インジケータは、TSパケット中のビットエラーの有無を示している。ペイロード・ユニット開始・インジケータは、新たなＰＥＳパケットが、このTSパケットのペイロードから始まることを示している。トランスポート優先度は、このTSパケットの重要度を示している。PIDは、１３ビットのTSパケットの識別情報で、該当パケットの個別ストリームの属性を示している。
【００２０】
トランスポート・スクランブル制御は、２ビットでこのパケットのペイロードのスクランブルの有無、種別を示している。アダプテーション・フィールド制御は、このパケットでのアダプテーション・フィールドの有無、及びペイロードの有無を示している。連続性指標は、同じPIDを持つパケットが途中で一部棄却されたかどうかを検出するための情報であり、４ビットの巡回カウント情報の連続性によって検出している。
【００２１】
ペイロード領域（データ部）は、後述するプログラム・スペシフィック・インフォメーション（PSI（Program Specific Information：プログラム仕様情報)）としてのプログラム・アソシエーション・テーブル（PAT（Program Association Table)）、プログラム・マップ・テーブル（PMT（Program Map Table））、及びネットワーク・インフォメーション・テーブル（NIT（Network Information Table））等に使用される。
【００２２】
図４は、DVBシステムにおけるディジタル放送データのフレーム構成を示している。図４（Ａ）は、MPEG2のTSパケットを示している。図４（Ｂ）は、図４（Ａ）に示したMPEG2のTSパケットが８個集まって、１フレームが構成される様子を示している。図４（Ｂ）においては、MPEG2のTSパケットに収容されている同期バイト（＝‘47H’Ｈは１６進の意味）を用いて、８パケットに１回、同期バイトを反転（＝‘B8H’Ｈは１６進の意味）させることにより、フレームの同期をとるようにしている。また、フレームが構成される際、各MPEG2のTSパケットに収容されているデータには、Reed-Solomon（リード・ソロモン）（204,188)の誤り訂正符号が付加される（従って、１パケットが２０４バイトとなっている）。図４（Ｂ）に示すディジタル放送データが、QPSK（Quadrature Phase Shift Keying）で変調される。
【００２３】
MPEG2システムの中で規定されているPSI（プログラム仕様情報）は、プログラム（番組）の選択を簡単にするための情報である。PSIは、テーブルとその中で用途別に用いられるディスクリプタ（記述子）からなっている。このテーブルとディスクリプタについて、図５乃至図１０を参照して説明する。
【００２４】
図５は、PATの構成を説明するための図である。PATは、各プログラム番号（１６ビット）毎に、そのプログラムを構成するパケットの情報を伝送する（後述の）PMT（番組対応表）のPIDを示している。PAT自体のPIDとしては、固定的にPID＝“0x0000”（0xは１６進表記であることを示す）が割り当てられている。
【００２５】
テーブルＩＤは、テーブルの種別を示しており、PATでは、“0x00”である。セクション・シンタクス・インジケータは、そのセクションのヘッダがロングフォーム（＝“１”）か、ショートフォーム（＝“０”）かを表している。リザーブは、将来意味付けがなされるフラグを示している。セクション長は、この直後からそのセクションの最後まで（CRC32がある場合、それを含む）のセクション長をバイト単位で表している。TSIDは、トランスポート・ストリーム（多重化された符号化データ）を識別するもので、衛星の場合は、トランスポンダに相当する。バージョン番号は、PATバージョンを表し、その内容が更新される度に更新される。カレント・ネクスト・インジケータは、PATの新旧バージョンを同時に伝送する際に、いずれのバージョンのものであるのかを表している。
【００２６】
セクション番号は、セクションの番号を表しており、最初のセクションは“0x00”で、１ずつ増加させていく。最終セクション番号は、同一サブテーブルの最後のセクションのセクション番号を表している。プログラム番号は、個々のチャンネルを識別している。ネットワークPIDは、プログラム番号が“0x0000”の場合に、後述するNITのPIDを示している。プログラム・マップPIDは、後述するPMTのPIDを示している。CRCはセクション全体の誤り検出コードである。
【００２７】
図６は、PMTの構成を説明するための図である。PMTは、各プログラム番号毎に、そのプログラムを構成する映像、音声、及び付加データ等のストリームが伝送されるパケットのPIDを示している。PMT自体のPIDは、PATで指定される。
【００２８】
テーブルＩＤは、テーブルの種別を示し、PMTでは、“0x02”である。上述のPATで説明したものについては、説明を省略する。PCR（Program Clock Reference：プログラム時刻基準参照値）PIDは、復号する際の基準となるクロックが含まれるパケットのPIDを示している。プログラム情報長は、直後のループでこのサービスに共通する情報を記述している。ディスクリプタは、セクションの情報を補完するために個々の情報を記述している。
【００２９】
ストリーム・タイプは、映像、音声、及びデータ等、ストリームで伝送される信号の種類を示している。エレメンタリPIDは、エレメンタリ・ストリームのPIDを示している。ＥＳ情報長は、直後のループでそのエレメンタリ・ストリームの情報を記述している。
【００３０】
図７は、NITの構成を説明するための図である。NITは、伝送路に関する物理的な情報、即ち、衛星においては衛星の軌道、偏波、及びトランスポンダ毎の周波数等を示している。NIT自体のPIDは“0x0010”である。上述のPAT及びPMTについては、MPEG2システムでデータ構成の詳細が規定されているが、NITはその必要性だけが示され、データ構成については、プライベートとされている。
【００３１】
テーブルＩＤは、テーブルの種別を示しており、当該ネットワークが“0x40”、他のネットワークが“0x41”とされる。上述のPATで説明したものについては、説明を省略する。ネットワークＩＤは、ネットワークを識別し、衛星の場合は個々の衛星に相当するものである。ネットワーク・ディスクリプタ長は、直後のループでそのネットワークの共通情報を記述している。ＴＳループ長は、直後のループでそのネットワークに属するトランスポート・ストリームを列記している。ＴＳディスクリプタ長は、直後のループでそのトランスポート・ストリームの情報を記述している。
【００３２】
図８は、サテライト・デリバリー・システム・ディスクリプタを説明するための図である。このディスクリプタは、ＴＳディスクリプタ長（図７参照）に従って繰り返されるディスクリプタの１番目として使用され、TS ID（図７参照）と一対になっている。ディスクリプタ・タグは、DVBで規定されており、ディスクリプタの種別を示している。このディスクリプタでは、“0x43”となっている。周波数は、ストリーム（ここではトランスポンダ）毎の伝送周波数を示している。軌道は、衛星の軌道位置の経度を表している。西経・東経フラグは、衛星の軌道位置の東経・西経を表している。偏波は、伝送される信号の偏波を示している。変調は、変調方式を示している。シンボル・レートは、シンボルレートを示している。FEC（Forward Error Correction ：前方誤り訂正）は、コンボリューションレートを示している。
【００３３】
図９は、サービス・リスト・ディスクリプタを説明するための図である。このディスクリプタは、ＴＳディスクリプタ長（図７参照）に従って繰り返されるディスクリプタの２番目以降として使用され、当該ストリーム（ここではトランスポンダ）に多重化されたサービス（チャネル）のＩＤを示している。即ち、一つのTS  IDにサービス・リスト・ディスクリプタが付属している。ディスクリプタ・タグは、DVBで規定されており、ディスクリプタの種別を示している。このディスクリプタでは、“0x41”となっている。サービスＩＤは、サービスを識別するものである。通常、サービスは視聴者が選局するチャネルと一致する。サービス・タイプは、映像、音声、及びデータ等のサービスの内容を示している。＄
図１０は、ケーブル・デリバリー・システム・ディスクリプタを説明するための図である。ディスクリプタ・タグは、DVBで規定されており、ディスクリプタの種別を示している。このディスクリプタでは、“0x44”となっている。周波数は、CATVにおけるストリーム（ここではCATVのチャンネル）毎の伝送周波数を示している。FEC（Forward Error Correction ：前方誤り訂正）外符号は、外符号としての誤り訂正符号を示すものであり、このディスクリプタでは、“0010”となっている。変調は、変調方式を示している。シンボル・レートは、シンボルレートを示している。FECは、コンボリューションレートを示している。
【００３４】
図１１は、本発明の変調変換装置３の一実施の形態の構成を示すブロック図である。変調変換装置３は、衛星１に取り付けられているトランスポンダ（衛星中継器）から送信されるディジタル放送信号（複数のチャネルが多重化されている）の伝送周波数や変調方式を変更し、CATV用のディジタル放送信号を生成して、伝送路４へ供給する。
【００３５】
変調変換装置３は、衛星１から送信されるSHF（Super High Frequency）帯のディジタル放送信号を処理して、VHF（Very High Frequency）帯又はUHF（Ultra High Frequency）帯のCATV用ディジタル放送信号ＢＳ１乃至ＢＳｍを生成する信号処理部３０−１乃至３０−ｍ、装置全体を制御する制御部３１、信号処理部３０−１乃至３０−ｍが内蔵するチューナの受信周波数の設定等を行う操作部３２、装置の状態を表示する表示部３３、及びディジタル放送信号ＢＳ１乃至ＢＳｍを加算して伝送路４へ送出する加算器３４から構成されている。
【００３６】
信号処理部３０−１の構成について説明する。チューナ４０は、アンテナ２から供給されるディジタル放送信号の中から、第１のトランスポンダより送信されてくるディジタル放送信号を選択し、選択したディジタル放送信号に対して周波数変換処理を行い、QPSK（Quadrature Phase Shift Keying：４相位相偏移変調）信号を復調器４１へ供給する。
【００３７】
復調器４１は、チューナ４０から供給されるQPSK信号を復調し、DVBのフレーム構成の信号にしてから、ECC（Error Correction Code：誤り訂正符号）デコーダ４２へ供給する。
【００３８】
ECCデコーダ４２は、復調器４１から供給されるDVBフレーム構成の信号に対して誤り訂正を行い、ディジタル放送データとしてMPEG2のTSパケットを、NIT置換回路４３とNIT検出回路４７へ供給する。
【００３９】
NIT検出回路４７は、ECCデコーダ４２から供給されるMPEG2のTSパケットよりNIT1を検出し、メモリ４８に書き込み、記憶させる。
【００４０】
制御部３１は、メモリ４８に記憶されているNIT1を必要に応じてインタフェース５０を介して読み出し、CATVに適合するように変更し、その結果得られたNIT2をメモリ４９に書き込み、記憶させる。制御部３１は、NIT1をNIT2に変更する際、サテライト・デリバリー・システム・ディスクリプタ（図８参照）をケーブル・デリバリー・システム・ディスクリプタ（図１０参照）に変更する。このとき、ネットワークを識別するためのネットワークＩＤは変更しないで、受信した衛星のネットワークＩＤをそのまま使用する。制御部３１は、チューナ４０の受信周波数もインタフェース５０を介して制御する。
【００４１】
また、衛星１がＬ個のトランスポンダ を備えており、衛星ディジタル放送におけるディジタル放送信号の数がＭ個（Ｍ＜Ｌ）である場合、CATVではＭ個のディジタル放送信号を選択的に使用することがある。この場合、制御部３１はNIT1をNIT3に変更する際、NIT1におけるCATVで使用されないディジタル放送信号に対応したTS  IDに係る情報（図７のTS  ID乃至ディスクリプタの情報）を削除する。
【００４２】
NIT置換回路４３は、ECCデコーダ４２から供給されるMPEG2のTSパケットのNIT1を、メモリ４９から供給されるNIT2又はNIT3と置き換えて、ECCエンコーダ４４へ供給する。また、NIT置換回路４３は、TS  IDに係る情報が削除されているNIT3に対しては、NIT1と置き換える際に、削除されている部分にダミービットを挿入する。
【００４３】
ECCエンコーダ４４は、NITが置き換えられたMPEG2のTSパケットに対してReed-Solomon（204,188)の誤り訂正符号を付加し、DVBのフレーム構成にして変調器４５へ供給する。
【００４４】
変調器４５は、ECCエンコーダ４４から供給されるDVBフレーム構成の信号に対して、６４QAM（Quadrature Amplitude Modulation）で変調を行い、周波数変換器４６へ供給する。
【００４５】
周波数変換器４６は、変調器４５から供給される６４QAM信号を、VHF帯又はUHF帯の所定の伝送周波数に変換して、その信号ＢＳ１を加算器３４へ供給する。
【００４６】
信号処理部３０−２乃至３０−ｍのそれぞれの構成は、上述の信号処理部３０−１からNIT検出回路４７、メモリ４８、及びメモリ４９を取り除いた構成となっている。信号処理部３０−２乃至３０−ｍでは、アンテナ２から供給されるディジタル放送信号より第２乃至第ｍのトランスポンダに対応したディジタル放送信号をそれぞれ選択し、メモリ４９に記憶されているNITを読み出してNITの置換を行い、それぞれ異なった伝送周波数のＢＳ２乃至ＢＳｍを加算器３４へ供給する。
【００４７】
加算器３４は、CATV用ディジタル放送信号ＢＳ１乃至ＢＳｍを加算して、その加算信号を伝送路４へ送出している。
【００４８】
図１２は、衛星１から送信されるディジタル放送信号を受信するSTB（受信端末）の動作を説明するためのフローチャートである。尚、PAT及びPMTにおいてはプログラム番号が、NITではサービスＩＤが、それぞれ視聴者が選局するチャネル番号に該当する。更に、NITはネットワーク全体、即ち、全てのトランスポンダの情報を含み、同一のテーブルが全てのトランスポンダで並行に伝送される。これに対し、PAT及びPMTは、それぞれが伝送されるトランスポンダ内の番組の情報だけから構成されており、各トランスポンダ毎に異なった内容となっている。
【００４９】
先ず、ステップＳ１において、視聴者がSTBでチャネル番号を入力する（ここでは、“Ｘ”チャネルを選局する）。
【００５０】
次に、ステップＳ２において、STBがNITを受信し、ステップＳ３に進む。ステップＳ３において、現在受信しているトランスポンダに当該チャネルが存在しているか否か判定する。ステップＳ３において、“Ｘ”が存在しないと判定された場合は、ステップＳ４に進む。
【００５１】
ステップＳ４において、NITのサービス・リスト・ディスクリプタ（図９参照）内のサービスＩＤについて、“Ｘ”をサーチする。識別後、サービスＩＤ“Ｘ”を含むサービス・リスト・ディスクリプタの前に組み合わされているサテライト・デリバリー・システム・ディスクリプタ（図８参照）を受信して、“Ｘ”を伝送しているトランスポンダの周波数を認識し、ステップＳ５へ進む。
【００５２】
ステップＳ５において、STBは受信トランスポンダを変更した後、PATを受信し、ステップＳ６へ進む。
【００５３】
ステップＳ３において、“Ｘ”が存在すると判定された場合は、ステップＳ６に進む。ステップＳ６において、STBはPAT内のプログラム番号“Ｘ”に付随するプログラム・マップPIDによってPMTを受信し、ステップＳ７に進む。
【００５４】
ステップＳ７において、PMT内でプログラム番号“Ｘ”に対応するストリーム・タイプ（映像、音声等）毎のエレメンタリーPIDを認識した後、エレメンタリーPIDと一致するPIDを持つＴＳパケットを分離し、ステップＳ８に進む。ステップＳ８において、分離したパケットを各デコーダで復号し、モニタへ出力する。
【００５５】
尚、本明細書中において、上記処理を実行するコンピュータプログラムをユーザに提供する提供媒体には、磁気ディスク、CD-ROMなどの情報記録媒体の他、インターネット、ディジタル衛星などのネットワークの伝送媒体も含まれる。
【００５６】
【発明の効果】
以上の如く、請求項１に記載の信号処理装置、請求項２に記載の信号処理方法、及び請求項３に記載の情報記録媒体によれば、NITの変更の際、ネットワークＩＤだけは変更しないようにしたので、第１のネットワークとは別の第３のネットワークからディジタル放送データを受信する場合、第２のネットワークの受信端末で受信したディジタル放送データが、第１のネットワークからのものであるのか第３のネットワークからのものであるのか判別することが可能となる。また、第２のネットワークとは別の第４のネットワークを使って配信サービスする場合、第１のネットワーク（又は第３のネットワーク）用の受信端末の構成をそのまま利用することができる。
【図面の簡単な説明】
【図１】本発明の変調変換装置を適用したディジタルCATVシステムの一実施の形態の構成を示す図である。
【図２】  MPEG2のTSによるマルチメディア多重化方式を説明するための図である。
【図３】図２のMPEG2のTSパケットを説明するための図である。
【図４】  DVBシステムのフレーム構成を説明するための図である。
【図５】プログラム・アソシエーション・テーブルを説明するための図である。
【図６】プログラム・マップ・テーブルを説明するための図である。
【図７】ネットワーク・インフォメーション・テーブルを説明するための図である。
【図８】サテライト・デリバリー・システム・ディスクリプタを説明するための図である。
【図９】サービス・リスト・ディスクリプタを説明するための図である。
【図１０】ケーブル・デリバリー・システム・ディスクリプタを説明するための図である。
【図１１】本発明の変調変換装置３の一実施の形態の構成を示すブロック図である。
【図１２】本発明の変調変換装置３を用いた受信端末の動作を説明するためのフローチャートである。
【符号の説明】
１  衛星，  ２  アンテナ，  ３  変調変換装置，  ４  伝送路，  ５−１乃至５−ｍ  STB，  ６−１乃至６−ｍ  モニタ，  ３０−１乃至３０−ｍ  信号処理部，  ３１  制御部，  ３２  操作部，  ３３  表示部，  ３４  加算器，４０  チューナ，  ４１  復調器，  ４２  ECCデコーダ，  ４３  NIT置換回路，  ４４  ECCエンコーダ，  ４５  変調器，  ４６  周波数変換器，  ４７  NIT検出回路，  ４８，４９  メモリ，  ５０  インタフェース
【図１】
0003975473.tif 000002
【図２】
0003975473.tif 000003
【図３】
0003975473.tif 000004
【図４】
0003975473.tif 000005
【図５】
0003975473.tif 000006
【図６】
0003975473.tif 000007
【図７】
0003975473.tif 000008
【図８】
0003975473.tif 000009
【図９】
0003975473.tif 000010
【図１０】
0003975473.tif 000011
【図１１】
0003975473.tif 000012
【図１２】
0003975473.tif 000013